(57)【要約】【課題】本発明の課題は、吹き出された空気を回収して、空調負荷を低減するパーソナル空調機を提供することにある。【解決手段】パーソナル空調機１では、吹き出された調和空気を、吹出口１１ａと対向配置された吸込口２１ａから吸い込んで回収し、吸込空気搬送ダクト２１を介して空調ユニット３に戻すことによって、空調負荷を低減することができる。また、パーソナル空調機１では、吸込空気搬送ダクト２１の水平ダクト２１２が、床上に設けられる床上ダクト・タイプ、床下に設けられる床下ダクト・タイプ、又は天井９０に設けられる天井ダクト・タイプのいずれかに対応することができる。つまり、既存の屋内構造の態様に則して吸込空気搬送ダクト２１が適用されるので、利用者にとって使い勝手がよい。【選択図】図２
2016223731.tif 000002
【特許請求の範囲】
【請求項１】
隣接する他の空調機によって空調される第１空調対象空間と連接する第２空調対象空間に居る対象者の要求に合わせて空調を行う、パーソナル空調機であって、
前記対象者に向けて空調後の空気を吹き出す吹出口（１１ａ）が形成された本体（１１）と、
前記対象者を挟んで前記吹出口（１１ａ）と水平方向反対側に配置される吸込口（２１ａ，５１ａ，６１ａ）が形成され、前記吸込口（２１ａ，５１ａ，６１ａ）から吸い込んだ空気を前記本体（１１）へ戻す吸込空気搬送ダクト（２１，５１）と、
を備える、
パーソナル空調機（１，１０１，２０１）。
【請求項２】
前記吸込空気搬送ダクト（２１，５１）は、床上に設けられる床上ダクト、床下に設けられる床下ダクト、又は天井に設けられる天井ダクトのいずれかである、
請求項１に記載のパーソナル空調機（１，１０１）。
【請求項３】
前記吸込口（２１ａ，５１ａ，６１ａ）は、床から立ち上がる中空部材の上部、又は天井から垂れ下がる部材のいずれかに形成されている、
請求項１に記載のパーソナル空調機（１，１０１，２０１）。
【請求項４】
前記本体（１１）は、前記吹出口（１１ａ）の上流側に空調ユニット（３）を有し、
前記空調ユニット（３）は、蒸気圧縮式冷凍サイクルの利用側と熱源側とを搭載した一体型、又は前記熱源側を屋外配置し前記利用側のみを前記空調ユニット（３）に収容した分離型のいずれかが適用されている、
請求項１に記載のパーソナル空調機（１，１０１，２０１）。
【請求項５】
前記本体（１１）は、前記吹出口（１１ａ）の上流側に空調ユニット（３）を有し、
前記空調ユニット（３）は、屋外から冷却水を導入して前記冷却水と前記本体（１１）に戻されてきた空気とを熱交換させる水−空気熱交換器、又は屋外から冷却空気を導入して前記冷却空気と前記本体（１１）に戻されてきた空気とを熱交換させる空気−空気熱交換器のいずれかを搭載している、
請求項１に記載のパーソナル空調機（１，１０１，２０１）。
【発明の詳細な説明】
【技術分野】
【０００１】
本発明は、パーソナル空調機に関する。
【背景技術】
【０００２】
一般に、パーソナル空調機は、温調された空気を個人に吹き付けるように構成されている。例えば、特許文献１（特開平６−１９３９５２号公報）に記載の空調装置は、ダクトに足元吹出口、頭上吹出口及び室内吹出口が設けられ、必要部分にのみエアを送る。
【発明の概要】
【発明が解決しようとする課題】
【０００３】
しかしながら、上記のようなパーソナル空調装置は、吹き出された空気の吸い込み／リターンについては配慮されていないため、そのパーソナル空調の対象者が居る空調対象空間の空気そのものを吸い込んで温調することになり、空調負荷が大きい。
【０００４】
本発明の課題は、吹き出された空気を回収して、空調負荷を低減するパーソナル空調機を提供することにある。
【課題を解決するための手段】
【０００５】
本発明の第１観点に係るパーソナル空調機は、隣接する他の空調機によって空調される第１空調対象空間と連接する第２空調対象空間に居る対象者の要求に合わせて空調を行う、パーソナル空調機であって、本体と、吸込空気搬送ダクトとを備えている。本体は、対象者に向けて空調後の空気を吹き出す吹出口が形成されている。吸込空気搬送ダクトは、対象者を挟んで吹出口と水平方向反対側に配置される吸込口が形成され、吸込口から吸い込んだ空気を本体へ戻す。
【０００６】
このパーソナル空調機では、吹き出された調和空気を、吹出口と対向配置された吸込口から吸い込んで搬送ダクトを介して回収するので、先に吹き出された調和空気の熱量を再利用することができる。その結果、空調負荷が低減される。
【０００７】
本発明の第２観点に係るパーソナル空調機は、第１観点に係るパーソナル空調機であって、吸込空気搬送ダクトが、床上に設けられる床上ダクト、床下に設けられる床下ダクト、又は天井に設けられる天井ダクトのいずれかである。
【０００８】
このパーソナル空調機では、既存の屋内構造の態様に則して搬送ダクトを適用させることができるので、利用者にとって使い勝手がよい。
【０００９】
本発明の第３観点に係るパーソナル空調機は、第１観点に係るパーソナル空調機であって、吸込口が、床から立ち上がる中空部材の上部、又は天井から垂れ下がる部材のいずれかに形成されている。
【００１０】
このパーソナル空調機では、既存の屋内構造の態様に則して吸込口を適用させることができるので、利用者にとって使い勝手がよい。
【００１１】
本発明の第４観点に係るパーソナル空調機は、第１観点に係るパーソナル空調機であって、本体が、吹出口の上流側に空調ユニットを有している。空調ユニットは、蒸気圧縮式冷凍サイクルの利用側と熱源側とを搭載した一体型、又は熱源側を屋外配置し利用側のみを空調ユニットに収容した分離型のいずれかが適用されている。
【００１２】
このパーソナル空調機では、回収熱量の再利用手段として蒸気圧縮式冷凍サイクルを利用した空調ユニットを使用することが、コスト及び使い勝手の点から最も合理的である。例えば、製造ラインでは、利用側と熱源側とを搭載した一体型空調ユニットを適用して対象者に空調空気を供給し、熱源側からの排熱は製造ライン全体の空調により処理する。また、オフィスでは、熱源側を屋外配置した分離型を適用すればよい。
【００１３】
本発明の第５観点に係るパーソナル空調機は、第１観点に係るパーソナル空調機であって、本体が、吹出口の上流側に空調ユニットを有している。空調ユニットは、屋外から冷却水を導入してその冷却水と本体に戻されてきた空気とを熱交換させる水−空気熱交換器、又は屋外から冷却空気を導入してその冷却空気と本体に戻されてきた空気とを熱交換させる空気−空気熱交換器のいずれかを搭載している。
【００１４】
このパーソナル空調機では、冷却用の水又は空気の配管が既設されているような屋内にパーソナル空調機が設置される場合の空調ユニットに有用である。
【発明の効果】
【００１５】
本発明の第１観点に係るパーソナル空調機では、吹き出された調和空気を、吹出口と対向配置された吸込口から吸い込んで搬送ダクトを介して回収するので、先に吹き出された調和空気の熱量を再利用することができる。その結果、空調負荷が低減される。
【００１６】
本発明の第２観点に係るパーソナル空調機では、既存の屋内構造の態様に則して搬送ダクトを適用させることができるので、利用者にとって使い勝手がよい。
【００１７】
本発明の第３観点に係るパーソナル空調機では、既存の屋内構造の態様に則して吸込口を適用させることができるので、利用者にとって使い勝手がよい。
【００１８】
本発明の第４観点に係るパーソナル空調機は、回収熱量の再利用手段として蒸気圧縮式冷凍サイクルを利用した空調ユニットを使用することが、コスト及び使い勝手の点から最も合理的である。
【００１９】
本発明の第５観点に係るパーソナル空調機では、冷却用の水又は空気の配管が既設されているような屋内にパーソナル空調機が設置される場合の空調ユニットに有用である。
【図面の簡単な説明】
【００２０】
【図１】本発明の第１実施形態に係るパーソナル空調機の斜視図。
【図２】図１におけるパーソナル空調機の断面図。
【図３】第１実施形態の第１変形例に係るパーソナル空調機の断面図。
【図４】第１実施形態の第２変形例に係るパーソナル空調機の断面図
【図５】本発明の第２実施形態に係るパーソナル空調機の斜視図。
【図６】図５におけるパーソナル空調機の断面図。
【図７】第２実施形態の第１変形例に係るパーソナル空調機の断面図。
【図８】第２実施形態の第２変形例に係るパーソナル空調機の断面図
【図９】本発明の第３実施形態に係るパーソナル空調機の斜視図。
【図１０】図９におけるパーソナル空調機の断面図。
【図１１】第３実施形態の第１変形例に係るパーソナル空調機の断面図。
【図１２】第３実施形態の第２変形例に係るパーソナル空調機の断面図。
【発明を実施するための形態】
【００２１】
以下図面を参照しながら、本発明の実施形態について説明する。なお、以下の実施形態は、本発明の具体例であって、本発明の技術的範囲を限定するものではない。
【００２２】
＜第１実施形態＞
（１）パーソナル空調機１の全体構成
図１は、本発明の第１実施形態に係るパーソナル空調機１の斜視図である。また、図２は、図１におけるパーソナル空調機１の断面図である。図１及び図２において、パーソナル空調機１は、屋内空間を空調する空調設備とは別に、所定の空間に居る特定の対象者（以下、「対象者」と言う。）に対して空調空気を供給する。そのために、パーソナル空調機１は、本体１１と、吸込空気搬送ダクト２１とを備えている。
【００２３】
（１−１）本体１１
本体１１は、内部が空洞の直方体部材である。本体１１は、図２に示すように、内部に空調ユニット３を収容している。
【００２４】
空調ユニット３は、蒸気圧縮式冷凍サイクルにおける利用側と熱源側（図示せず）とが一体的に収容された冷凍装置であり、熱交換器３１と送風機３３とを搭載している。熱交換器３１は、伝熱管と伝熱フィンから成るフィン＆チューブタイプである。
【００２５】
送風機３３の下部には、邪魔板３４が配置されている。邪魔板３４は、搬送された空気が熱交換器３１を通らずに送風機３３に吸い込まれることを防止している。
【００２６】
なお、空調ユニット３は、上記構成に限定されるもではなく、熱源側を室外配置して冷媒連絡配管によって利用側と接続するタイプであってもよい。
【００２７】
もちろん、熱交換器３１はフィン＆チューブタイプに限定されるものではなく、熱交換器３１の内部を流れる熱媒体も冷媒だけに限定されるものではない。例えば、冷却方式を蒸気圧縮式冷凍サイクルに替えて外部から冷却水を導入するタイプにすれば、熱交換器３１は、その内部を流通する冷却水と外側を通過する空気との間で熱交換させる空気―水熱交換器となる。この他、熱交換器３１は、外部から冷却空気を導入して熱交換器３１の外側を通過する空気と熱交換させる空気―空気熱交換器であってもよい。
【００２８】
送風機３３は、プロペラファンである。なお、送風機３３はプロペラファンに限定されるものではなく、他のファンであってもよい。
【００２９】
本体１１の上部には、吹出口１１ａが形成されている。吹出口１１ａからは、熱交換器３１内部の熱媒体と熱交換して温度調節された空調空気が吹き出る。
【００３０】
さらに、本体１１の下部には、吸込空気搬送ダクト２１の端部が接続される接続口１１ｂが形成されている。
【００３１】
（１−２）吸込空気搬送ダクト２１
吸込空気搬送ダクト２１は、本体１１の吹出口１１ａから対象者に向かって吹き出された空調空気を吸い込んで、その吸い込み空気を本体１１内へ還流させる。吸込空気搬送ダクト２１では、鉛直ダクト２１１と水平ダクト２１２とを有している。
【００３２】
（１−２−１）鉛直ダクト２１１
鉛直ダクト２１１は、中空の箱型のダクトである。鉛直ダクト２１１は、対象者を挟んで本体１１と反対側に縦壁のように配置されている。また、鉛直ダクト２１１の上部には吸込口２１ａが形成されている。
【００３３】
（１−２−２）水平ダクト２１２
水平ダクト２１２は、鉛直ダクト２１１の下端と本体１１の接続口１１ｂとを連絡している。水平ダクト２１２は、床８０の上面に沿って配置されている。
【００３４】
（２）動作
動作については、夏季における一作業空間ＷＳの作業者Ｐに対するパーソナル空調を想定して説明する。
【００３５】
複数の作業空間ＷＳが隣接する屋内では、屋内全体空調を行いつつも、各作業空間の作業者に対してもパーソナル空調が行われる。本体１１内の熱交換器３１には、冷媒が流通している（低温の水もしくは他の熱媒体が流通してもよい）。
【００３６】
送風機３３が稼動することによって熱交換器３１内の熱媒体と熱交換した空気が吹出口１１ａから作業空間ＷＳの作業者Ｐに対して吹き出され、作業者Ｐに対して涼風感を生じさせる。
【００３７】
本実施形態に係るパーソナル空調機１は、作業者Ｐの下流側に吸込口２１ａが配置され、且つその吸込口２１ａが吹出口１１ａと水平方向に対向している。それゆえ、空調空気が作業空間ＷＳの空気温度まで上昇するまでに吸込口２１ａに吸い込まれるので、作業空間ＷＳの温度よりも低い温度の空気が鉛直ダクト２１１及び水平ダクト２１２を通って空調ユニット３に到達する。
【００３８】
以上のように吹出口１１ａの対面方向に吸込口２１ａを設けて、作業者Ｐに向かって吹き出された空調空気を吸い込み、回収し、水平ダクト２１２を介して空調ユニット３に戻すことによって、空調負荷を低減することができる。
【００３９】
（３）変形例
（３−１）第１変形例
図３は、第１実施形態の第１変形例に係るパーソナル空調機１の断面図である。図３において、本体１１の接続口１１ｂ及び吸込空気搬送ダクト２１の水平ダクト２１２は、床８０の下側に配置されている。この配置によって、天井面が低い屋内でもパーソナル空調機１を利用することができる。
【００４０】
（３−２）第２変形例
図４は、第１実施形態の第２変形例に係るパーソナル空調機１の断面図である。図４において、本体１１の接続口１１ｂ、及び吸込空気搬送ダクト２１の水平ダクト２１２は、天井９０に埋め込まれている。
【００４１】
また、本体１１の接続口１１ｂ以外の部分、及び鉛直ダクト２１１は、天井９０から垂れ下がる構成である。この場合、邪魔板３４は送風機３３の上部に配置される。さらに、鉛直ダクト２１１の吸込口２１ａは、本体１１の吹出口１１ａと対面するように位置している。この配置によって、天井面が低い屋内でもパーソナル空調機１を利用することができる。
【００４２】
（４）第１実施形態の特徴
（４−１）
パーソナル空調機１では、吹き出された調和空気を、吹出口１１ａと対向配置された吸込口２１ａから吸い込んで回収し、吸込空気搬送ダクト２１を介して空調ユニット３に戻すことによって、空調負荷を低減することができる。
【００４３】
（４−２）
パーソナル空調機１では、吸込空気搬送ダクト２１の水平ダクト２１２が、床上に設けられる床上ダクト・タイプ、床下に設けられる床下ダクト・タイプ、又は天井９０に設けられる天井ダクト・タイプのいずれかに対応することができる。つまり、既存の屋内構造の態様に則して吸込空気搬送ダクト２１が適用されるので、利用者にとって使い勝手がよい。
【００４４】
（４−３）
パーソナル空調機１では、吸込口２１ａが、床８０から立ち上がる中空部材の鉛直ダクト２１１の上部、又は天井９０から垂れ下がる中空部材の鉛直ダクト２１１いずれかに形成される。その結果、既存の屋内構造の態様に則して吸込空気搬送ダクト２１の吸込口２１ａが適用されるので、利用者にとって使い勝手がよい。
【００４５】
＜第２実施形態＞
（１）パーソナル空調機１０１の全体構成
図５は、本発明の第２実施形態に係るパーソナル空調機１０１の斜視図である。また、図６は、図５におけるパーソナル空調機１０１の断面図である。図５及び図６において、パーソナル空調機１０１は、図１及び図２に記載の第１実施形態と同じ機能を有するものであるが、吸込空気搬送ダクト５１のみが第１実施形態の吸込空気搬送ダクト２１と異なる。したがって、ここでは吸込空気搬送ダクト５１を説明し、他の部分の説明は省略する。
【００４６】
（２）吸込空気搬送ダクト５１
吸込空気搬送ダクト５１は、本体１１の吹出口１１ａから対象者に向かって吹き出された空調空気を吸い込んで、その吸い込み空気を本体１１内へ還流させる。吸込空気搬送ダクト５１では、鉛直ダクト５１１と水平ダクト５１２とを有している。
【００４７】
（２−１）鉛直ダクト５１１
鉛直ダクト５１１は中空のポール状のダクトである。２つの鉛直ダクト５１１が、対象者を挟んで本体１１と反対側に配置されている。また、鉛直ダクト５１１の上部には吸込口５１ａが形成されている。
【００４８】
鉛直ダクト５１１は中空のポール状のダクトであるので、作業者の後方に配置しても第１実施形態のような縦壁タイプの鉛直ダクト２１１と比べて、圧迫感がなく、且つ見栄えもよい。
【００４９】
（２−２）水平ダクト５１２
水平ダクト５１２は、鉛直ダクト５１１の下端と本体１１の接続口１１ｂとを連絡している。水平ダクト５１２は、床８０の上面に沿って配置されている。
【００５０】
（３）動作
送風機３３が稼動することによって熱交換器３１内の熱媒体と熱交換した空気が吹出口１１ａから作業空間ＷＳの作業者Ｐに対して吹き出され、作業者Ｐに対して涼風感を生じさせる。
【００５１】
本実施形態に係るパーソナル空調機１０１は、作業者Ｐの下流側に吸込口５１ａが配置さ、且つその吸込口５１ａが吹出口１１ａと水平方向に対向している。それゆえ、空調空気が作業空間ＷＳの空気温度まで上昇するまでに吸込口５１ａに吸い込まれるので、作業空間ＷＳの温度よりも低い温度の空気が鉛直ダクト５１１及び水平ダクト５１２を通って空調ユニット３に到達する。
【００５２】
以上のように吹出口１１ａの対面方向に吸込口５１ａを設けて、作業者Ｐに向かって吹き出された空調空気を吸い込み、回収し、水平ダクト５１２と介して空調ユニット３に戻すことによって、空調負荷を低減することができる。
【００５３】
（４）変形例
（４−１）第１変形例
図７は、第２実施形態の第１変形例に係るパーソナル空調機１０１の断面図である。図７において、本体１１の接続口１１ｂ及び吸込空気搬送ダクト５１の水平ダクト５１２は、床８０の下側に配置されている。この配置によって、天井面が低い屋内でもパーソナル空調機１０１を利用することができる。
【００５４】
（４−２）第２変形例
図８は、第２実施形態の第２変形例に係るパーソナル空調機１０１の断面図である。図４において、本体１１の接続口１１ｂ、及び吸込空気搬送ダクト５１の水平ダクト５１２は、天井９０に埋め込まれている。
【００５５】
また、本体１１の接続口１１ｂ以外の部分、及び鉛直ダクト５１１は、天井９０から垂れ下がる構成である。この場合、邪魔板３４は送風機３３の上部に配置される。さらに、鉛直ダクト５１１の吸込口５１ａは、本体１１の吹出口１１ａと対面するように位置している。この配置によって、天井面が低い屋内でもパーソナル空調機１０１を利用することができる。
【００５６】
（５）第２実施形態の特徴
（５−１）
パーソナル空調機１０１では、吹き出された調和空気を、吹出口１１ａと対向配置された吸込口５１ａから吸い込んで回収し、吸込空気搬送ダクト５１を介して空調ユニット３に戻すことによって、空調負荷を低減することができる。
【００５７】
（５−２）
パーソナル空調機１０１では、吸込空気搬送ダクト５１の水平ダクト５１２が、床上に設けられる床上ダクト・タイプ、床下に設けられる床下ダクト・タイプ、又は天井９０に設けられる天井ダクト・タイプのいずれかに対応することができる。つまり、既存の屋内構造の態様に則して吸込空気搬送ダクト５１が適用されるので、利用者にとって使い勝手がよい。
【００５８】
（５−３）
パーソナル空調機１０１は、吸込口５１ａが、床８０から立ち上がる中空部材の鉛直ダクト５１１の上部、又は天井９０から垂れ下がる中空部材の鉛直ダクト５１１いずれかに形成される。その結果、既存の屋内構造の態様に則して吸込空気搬送ダクト５１の吸込口５１ａが適用されるので、利用者にとって使い勝手がよい。
【００５９】
（５−４）
鉛直ダクト５１１は中空のポール状のダクトであるので、作業者の後方に配置しても圧迫感がなく、且つ見栄えもよい。
【００６０】
＜第３実施形態＞
（１）パーソナル空調機２０１の全体構成
図９は、本発明の第３実施形態に係るパーソナル空調機２０１の斜視図である。また、図１０は、図９におけるパーソナル空調機２０１の断面図である。図９及び図１０において、パーソナル空調機２０１は、図１及び図２に記載の第１実施形態と同じ機能を有するものであるが、吸込空気搬送ダクト６１のみが第１実施形態の吸込空気搬送ダクト２１と異なる。したがって、ここでは吸込空気搬送ダクト６１を説明し、他の部分の説明は省略する。
【００６１】
（２）吸込空気搬送ダクト６１
吸込空気搬送ダクト６１は、本体１１の吹出口１１ａから対象者に向かって吹き出された空調空気を側面と床面とから吸い込んで、その吸い込み空気を本体１１内へ還流させる。吸込空気搬送ダクト６１では、鉛直ダクト６１１と水平ダクト６１２とを有している。
【００６２】
（２−１）鉛直ダクト６１１
鉛直ダクト６１１は、本体１１をその両端から挟むように立つ縦壁状のダクトである。２つの鉛直ダクト６１１は、対向面それぞれに第１吸込口６１ａを有している。鉛直ダクト６１１の内部は空洞であり、第１吸込口６１ａから吸い込んだ空気を本体１１内の空調ユニット３へ導く。吸い込んだ空気は、空調ユニット３の側面に到達するので、送風機３３の側面には、図示しない側面邪魔板が配置されている。これは、邪魔板３４と同様に、搬送された空気が熱交換器３１を通らずに送風機３３に吸い込まれることを防止するためである。
【００６３】
鉛直ダクト６１１は、作業空間ＷＳの両側に隣接する作業空間へ空調空気が拡散することを防止することができる。
【００６４】
（２−２）水平ダクト６１２
水平ダクト６１２は、鉛直ダクト６１１を支える台としての機能と、鉛直ダクト６１１の上面に設けられた第２吸込口６１ｂから空気を吸い込んで本体１１の接続口１１ｂへ導く機能とを有している。水平ダクト６１２は、床８０の上面に沿って配置されている。
【００６５】
（３）動作
送風機３３が稼動することによって熱交換器３１内の熱媒体と熱交換した空気が吹出口１１ａから作業空間ＷＳの作業者Ｐに対して吹き出され、作業者Ｐに対して涼風感を生じさせる。
【００６６】
本実施形態に係るパーソナル空調機２０１では、鉛直ダクト６１１のうち作業者Ｐの下流側に相当する位置に第１吸込口６１ａが配置され、且つその第１吸込口６１ａと吹出口１１ａとはほぼ同じ高さに位置している。それゆえ、吹出口１１ａから吹き出された空調空気が作業空間ＷＳの空気温度まで上昇するまでに第１吸込口６１ａに吸い込まれる。
【００６７】
また、水平ダクト６１２の上面で作業者Ｐよりも後方（本体１１とは反対側）に第２吸込口６１ｂが設けられており、吹出口１１ａから吹き出された空調空気のうち第１吸込口６１ａに吸い込まれなかった空調空気を吸い込む。つまり、作業空間ＷＳの温度よりも低い温度の空気が鉛直ダクト６１１及び水平ダクト６１２を通って空調ユニット３に到達する。
【００６８】
以上のように、作業者Ｐを挟んで吹出口１１ａと反対側に第１吸込口６１ａ及び第２吸込口６１ｂを設けて、作業者Ｐに向かって吹き出された空調空気を吸い込み、回収し、鉛直ダクト６１１及び水平ダクト６１２を介して空調ユニット３に戻すことによって、空調負荷を低減することができる。
【００６９】
（４）変形例
（４−１）第１変形例
図１１は、第３実施形態の第１変形例に係るパーソナル空調機２０１の断面図である。図１１において、本体１１の接続口１１ｂ及び吸込空気搬送ダクト６１の水平ダクト６１２は、床８０の下側に配置されている。この配置によって、天井面が低い屋内でもパーソナル空調機２０１を利用することができる。
【００７０】
（４−２）第２変形例
図１２は、第３実施形態の第２変形例に係るパーソナル空調機２０１の断面図である。図１２において、本体１１の接続口１１ｂ、及び吸込空気搬送ダクト６１の水平ダクト６１２は、天井９０に埋め込まれている。
【００７１】
また、本体１１の接続口１１ｂ以外の部分、及び鉛直ダクト６１１は、天井９０から垂れ下がる構成である。邪魔板３４は送風機３３の上部に配置される。さらに、鉛直ダクト６１１の第１吸込口６１ａは、本体１１の吹出口１１ａと略同じ高さ位置で作業者Ｐの後方に位置している。この配置によって、天井面が低い屋内でもパーソナル空調機２０１を利用することができる。
【００７２】
なお、第２変形例においては、冷房時には水平ダクト６１２の第２吸込口６１ｂを閉じる構成にしてもよい。なぜなら、吹出口１１ａから作業者Ｐに向かって吹き出された空調空気が、作業空間ＷＳの雰囲気温度まで上昇する前に吸い込まれて空調ユニット３に戻されることが狙いであるので、あえて天井際の暖かい空気を吸い込む必要はないからである。
【００７３】
（５）第３実施形態の特徴
（５−１）
パーソナル空調機２０１では、吹出口１１ａから吹き出された調和空気を、作業者Ｐを挟んで吹出口１１ａと反対側に配置された第１吸込口６１ａ及び第２吸込口６１ｂから吸い込んで回収し、吸込空気搬送ダクト６１を介して空調ユニット３に戻すことによって、空調負荷を低減することができる。
【００７４】
（５−２）
パーソナル空調機２０１では、吸込空気搬送ダクト６１の水平ダクト６１２が、床上に設けられる床上ダクト・タイプ、床下に設けられる床下ダクト・タイプ、又は天井９０に設けられる天井ダクト・タイプのいずれかに対応することができる。つまり、既存の屋内構造の態様に則して吸込空気搬送ダクト６１が適用されるので、利用者にとって使い勝手がよい。
【００７５】
（５−３）
鉛直ダクト６１１は、作業空間ＷＳの両側に隣接する作業空間へ空調空気が拡散することを防止することができる。
【００７６】
＜全実施形態に共通の特徴＞
（１）
パーソナル空調機１，１０１，２０１では、空調ユニット３は、蒸気圧縮式冷凍サイクルの利用側と熱源側とを搭載した一体型、又は熱源側を屋外配置し利用側のみを空調ユニット３に収容した分離型のいずれかが適用され得る。例えば、製造ラインでは、利用側と熱源側とを搭載した一体型空調ユニットを適用して対象者に空調空気を供給し、熱源側からの排熱は製造ライン全体の空調により処理すればよい。また、オフィスでは、熱源側を屋外配置した分離型を適用すればよい。
【００７７】
（２）
このパーソナル空調機１，１０１，２０１では、冷却用の水又は空気の配管が既設されているような屋内にパーソナル空調機が設置される場合には、空調ユニット３の熱交換器３１として、屋外から冷却水を導入してその冷却水と本体に戻されてきた空気とを熱交換させる水−空気熱交換器、又は屋外から冷却空気を導入してその冷却空気と本体に戻されてきた空気とを熱交換させる空気−空気熱交換器のいずれかが適用され得るので、使い勝手がよく有用である。
【産業上の利用可能性】
【００７８】
本発明は、空調空気を吹出口と対向配置された吸込口から吸い込んで回収し、吸込空気搬送ダクトを介して空調ユニットに戻すことによって、空調負荷を低減することができるので、既存の建築物の屋内で作業等をする際の局所的な空調、又はオフィスなどの局所的な空調に有用である。
【符号の説明】
【００７９】
１，１０１，２０１    パーソナル空調機
１１                  本体
１１ａ                吹出口
２１，５１，６１      吸込空気搬送ダクト
２１ａ，５１ａ        吸込口
６１ａ                第１吸込口
６１ｂ                第２吸込口
【先行技術文献】
【特許文献】
【００８０】
【特許文献１】特開平６−１９３９５２号公報
【図１】
2016223731.tif 000003
【図２】
2016223731.tif 000004
【図３】
2016223731.tif 000005
【図４】
2016223731.tif 000006
【図５】
2016223731.tif 000007
【図６】
2016223731.tif 000008
【図７】
2016223731.tif 000009
【図８】
2016223731.tif 000010
【図９】
2016223731.tif 000011
【図１０】
2016223731.tif 000012
【図１１】
2016223731.tif 000013
【図１２】
2016223731.tif 000014